(57)【要約】【課題】複数のトレーを循環移動する循環路内に集電子を配置した格納スペースを形成しても、干渉したり電気的な接触部における不要なトラブルが発生しないようにした機械式駐車装置を提供する。【解決手段】格納スペースの床側に二位置を切り替え保持することが可能で床側集電子１７を有した可動型集電子装置を構成し、この可動型集電子装置は、待機状態で一方の位置に切り替えて高さを抑えて保持し、また上部にトレー１を停止させた状態では他の位置に切り替えて高さを増してトレー側集電子１７に床側集電子７を電気的に接触させて保持するようにした。【選択図】図５
2015200090.tif 000002
【特許請求の範囲】
【請求項１】
駐車車両を搭載したトレーを格納スペースに停止させて、前記トレー側に設けたトレー側集電子と前記格納スペースの床側に配置した床側集電子とを電気的に接触させ、駐車状態でバッテリー充電ができるように構成した機械式駐車装置において、
前記格納スペースの床側に二位置を切り替え保持することが可能で前記床側集電子を有した可動型集電子装置を構成し、前記可動型集電子装置は、待機状態で一方の位置に切り替えて高さを抑えて保持し、また上部に前記トレーを停止させた状態では他の位置に切り替えて高さを増して前記トレー側集電子に前記床側集電子を電気的に接触させて保持することを特徴とする機械式駐車装置。
【請求項２】
前記トレーの下面側に、被挟み込み部材を設け、前記可動型集電子装置に、待機状態では高さを抑え、かつ上部に前記トレーを停止させた状態で高さを増したとき前記被挟み込み部材を挟み込んで前記トレーの位置補正を行う一対の位置補正部材を設けたことを特徴とする請求項１に記載の機械式駐車装置。
【請求項３】
前記トレーはその下面側に梁を有し、前記可動型集電子装置には、待機状態では高さを抑え、かつ上部に前記トレーを停止させた状態で高さを増したとき前記梁を挟み込んで前記トレーの位置補正を行う一対の位置補正部材を設けたことを特徴とする請求項１に記載の機械式駐車装置。
【発明の詳細な説明】
【技術分野】
【０００１】
本発明は、駐車車両を搭載したトレーを格納スペースに収納した状態で、駐車車両のバッテリーの充電を行うことが可能な機械式駐車場装置に関する。
【背景技術】
【０００２】
従来の機械式駐車装置において、駐車車両である電気自動車を搭載したトレーを格納スペースに収納した状態で、電気自動車のバッテリーの充電を行う構成が知られている（例えば、特許文献１〜４を参照）。このような機械式駐車装置では、電気自動車を搭載するトレーに、電気自動車のバッテリーに接続することができるトレー側集電子を構成し、一方、格納スペースの床には電源側に接続した床側集電子を配置し、この格納スペースへと移動して来たトレーの停止位置で、上述したトレー側集電子と床側集電子とを電気的に接続して充電回路を形成するようにしている。
【先行技術文献】
【特許文献】
【０００３】
【特許文献１】特開平４−３６６２８３号公報
【特許文献２】特開平６−５７９８６号公報
【特許文献３】特開平６−５７９８７号公報
【特許文献４】実開平５−６２６６７号公報
【発明の概要】
【発明が解決しようとする課題】
【０００４】
しかしながら、従来の機械式駐車装置では、トレーの下部にトレー側集電子を構成し、一方、トレーを格納する格納スペースの床側に、トレー側集電子と接触する床側集電子を構成しているが、この床側集電子がある程度の高さまで突出する構造であったため、トレーが循環移動のために上方部を通過するとき、この床側集電子と干渉する可能性があった。そのため、電気的な接触部における不要なトラブルが発生しないように、床側集電子を配置した格納スペースを循環系から外して、専用の格納スペースとしていた。こうして、バッテリー充電可能な格納スペースの数を増やすと、複数のトレーを循環移動する循環系の数が少なくなって効率的な循環が妨げられる可能性がある。
【０００５】
そこで本発明の目的は、複数のトレーを循環移動する循環路内に集電子を配置した格納スペースを形成しても、干渉したり電気的な接触部における不要なトラブルが発生しないようにした機械式駐車装置を提供することにある。
【課題を解決するための手段】
【０００６】
本発明は上記目的を達成するために、駐車車両を搭載したトレーを格納スペースに停止させて、前記トレー側に設けたトレー側集電子と前記格納スペースの床側に配置した床側集電子とを電気的に接触させ、駐車状態でバッテリー充電ができるように構成した機械式駐車装置において、前記格納スペースの床側に二位置を切り替え保持することが可能で前記床側集電子を有した可動型集電子装置を構成し、前記可動型集電子装置は、待機状態で一方の位置に切り替えて高さを抑えて保持し、また上部に前記トレーを停止させた状態では他の位置に切り替えて高さを増して前記トレー側集電子に前記床側集電子を電気的に接触させて保持することを特徴とする。
【０００７】
このような構成によれば、可動型集電子装置を待機状態では一方の位置に切り替えて高さを抑えて保持することができるので、この可動型集電子装置を有する格納スペースの上でトレーを移動させても干渉することがない。従って、複数のトレーを循環移動する循環路内に、駐車中にバッテリー充電のために使用する可動型集電子装置を有する格納スペースを形成しても、干渉したり電気的な接触部における不要なトラブルが発生せず、全体の格納スペースを効率的に使用することができる。
【０００８】
また本発明は、上述の構成に加えて、前記トレーの下面側に、被挟み込み部材を設け、前記可動型集電子装置に、待機状態では高さを抑え、かつ上部に前記トレーを停止させた状態で高さを増したとき被挟み込み部材を挟み込んで前記トレーの位置補正を行う一対の位置補正部材を設けたことを特徴とする。
【０００９】
このような構成によれば、二位置を切り替えて保持することができる可動型集電子装置の動きを積極的に活用し、この動きによってトレーの下面側に備えられている被挟み込み部材を位置補正部材によって挟み込みながら、許容範囲内で位置がずれたトレーを所定位置に移動させて位置補正を行うことができる。このため、床側集電子とトレー側集電子とを効果的かつ確実に接触させることができる。
【００１０】
また本発明は、上述の構成に加えて、前記トレーはその下面側に梁を有し、前記可動型集電子装置には、待機状態では高さを抑え、かつ上部に前記トレーを停止させた状態で高さを増したとき前記梁を挟み込んで前記トレーの位置補正を行う一対の位置補正部材を設けたことを特徴とする。
【００１１】
このような構成によれば、トレーの下面側に元々備えられていた梁を位置補正部材を挟み込むことによって、許容範囲内で位置がずれたトレーを所定位置に移動させて位置補正を行うことができ、構成を複雑にすることなく床側集電子とトレー側集電子とを確実に接触させることができる。
【発明の効果】
【００１２】
本発明の機械式駐車装置によれば、可動型集電子装置を待機状態では一方の位置に切り替えて高さを抑えて保持することができるので、この可動型集電子装置を有する格納スペースの上でトレーを移動させても干渉することがない。従って、複数のトレーを循環移動する循環路内に、駐車中にバッテリー充電のために使用する可動型集電子装置を有する格納スペースを形成しても、干渉したり電気的な接触部における不要なトラブルが発生せず、全体の格納スペースを効率的に使用することができる。
【図面の簡単な説明】
【００１３】
【図１】本発明の一実施の形態による機械式駐車装置のトレーを示す平面図である。
【図２】図１に示したトレーの側面図である。
【図３】図１に示した機械式駐車装置における格納スペースの平面図である。
【図４】図３に示した格納スペースの床部に構成した可動型集電子装置の平面図である。
【図５】図４に示した可動型集電子装置の待機状態を示す側面図である。
【図６】図４に示した可動型集電子装置の充電状態を示す側面図である。
【発明を実施するための形態】
【００１４】
以下、本発明の実施の形態を図面に基づいて説明する。
【００１５】
図１および図２は、本発明の一実施の形態による機械式駐車装置のトレーを示す平面図および側面図である。
【００１６】
電気自動車搭載用のトレー１は、その板状部材２の上面に、電気自動車が侵入して来るときにトレー１からはみ出すことなく案内するために外周部を色で強調したり少し上部に突出させた注意領域３と、電気自動車のバッテリー端子に図示しない接続ケーブルの一端を接続するコンセントなどを配置したスタンド４とを有している。一方、板状部材２の下面には、長手方向に形成した長手方向梁５と、幅方向に形成した幅方向梁６と、上述した電源ケーブルの他端に接続したトレー側集電子７と、図示しない格納スペース側に構成したレール上をトレー１の長手方向に走行するための長手方向車輪８ａ，８ｂと、図示しない格納スペース側に構成した他のレール上をトレー１の幅方向に走行するための幅方向車輪９ａ，９ｂなどを有している。
【００１７】
図３は、格納スペースの床面を示す平面図である。
【００１８】
格納スペースには複数の縦方向走行レール１０ａ〜１０ｎを所定の間隔で配置し、この縦方向走行レール１０ａ〜１０ｎと直行するように複数の横方向走行レール１１ａ〜１１ｎを所定間隔で配置することによって、マトリックス状に複数の格納区分を形成している。各格納区分には、その床面側にそれぞれ図示を省略した固定側トレー送り装置が構成され、少なくとも一つの空き区画となる格納区分１２を除いた他の格納区分には、固定側トレー送り装置によって縦方向走行レール１０ａ〜１０ｎに沿った縦方向または横方向走行レール１１ａ〜１１ｎに沿った横方向に隣接する他の格納区分側へ送り出される複数のトレー１ａ〜１ｎがそれぞれ配置されている。全格納スペースまたは任意の格納スペースの床側には、上述した固定側トレー送り装置の他に、この固定側トレー送り装置の動作時にも干渉しない位置に可動型集電子装置が構成されている。
【００１９】
図４は、格納スペースの一つに構成した可動型集電子装置を示す平面図であり、図３の場合と同様に固定側トレー送り装置の図示を省略している。
【００２０】
この格納スペースの床面には、トレー１の下面に配置された長手方向車輪８ａ，８ｂが走行するよう案内する長手方向案内レール１０ａ，１０ｂと、トレー１の下面に配置された幅方向車輪９ａ，９ｂが走行するよう案内する幅方向案内レール１１ｂとが固定されている。また、この格納スペースの床面には、回転駆動装置１３によって回転される駆動軸１４が軸受１５によって可回転的に支持されており、駆動軸１４の途中には所定距離を隔てて一対の位置補正部材１６ａ，１６ｂである例えばローラと、床側集電子１７とが取り付けられている。
【００２１】
一対の位置補正部材１６ａ，１６ｂは、図１および図２に示したトレー１の下面側に構成した幅方向梁６などの被挟み込み部材を両側から挟み込むものであり、このとき幅方向梁６の位置つまりトレー１の停止位置が許容範囲内で多少ずれていると、トレー１を正規の位置へと動かして位置補正することができる構成である。床側集電子１７は、図示しない電源に電気的に接続されており、図１および図２に示したトレー側集電子７に接触することによって電気自動車のバッテリーを電源に接続して、駐車中にバッテリーの充電を行うためのものである。
【００２２】
一対の位置補正部材１６ａ，１６ｂまたは床側集電子１７は、いずれもトレー１の下面に構成した幅方向梁６またはトレー側集電子７と係わりを持つ構成であるため、通常であれば所定の高さ位置に保持する必要がある。しかしながら、そのような要件を単純に満たそうとすると、トレー１の下面側の他の構成要素と干渉してしまい、トレー１の上方部通過を制限してしまうことになる。つまり、この格納スペースを複数のトレーの循環路から外さなければならなくなる。そこで、この可動型集電子装置は、待機位置と充電位置との二位置を切り替えて保持できるように構成している。可動型集電子装置の具体的な構成を次に説明する。
【００２３】
図５および図６は、可動型集電子装置の待機状態および充電状態をそれぞれ示す側面図である。
図５に示した可動型集電子装置の待機状態で、一対の位置補正部材１６ａ，１６ｂおよび床側集電子１７は、駆動軸１４を回転させて床面から大きく突出しないよう水平方向に待機させた状態にされている。この待機状態で位置補正部材１６ａ，１６ｂおよび床側集電子１７は横向きになっており、この格納スペースにトレー１が送られてきたとしても、トレー１側集電子７が床側集電子１７と接触することはなく、トレー側集電子７と床側集電子１７との間には所定の対向距離が形成されている。従って、同図に示したトレー１がこの格納スペース上を通過したとしても、トレー１側と、格納スペースの床側の構成部材とは干渉することが無く、電気的なトラブルが発生することもない。従って、床側集電子１７を配置した格納スペースを各トレーの循環路として利用することができる。
【００２４】
しかし、同図に示したトレー１がこの格納スペースで停止されて、トレー１上の電気自動車のバッテリーを充電する場合、図示しない制御装置は対応する制御を行いトレー１を図示の位置に停止させた後、回転駆動装置１３に動作指令を与える。
【００２５】
動作指令を受けた回転駆動装置１３は、駆動軸を１４はほぼ９０度だけ回転し、水平な待機状態から縦型となる。この回転動作によって、先ず、一対の位置補正部材１６ａ，１６ｂ間にトレー１の下面にある幅方向梁６などの被挟み込み部材が挟み込まれる。このため、トレー１が許容される範囲内で位置が多少ずれていても、一対の位置補正部材１６ａ，１６ｂ間に挟まれた幅方向梁６を通してトレー１が望ましい所定位置に移動されて停止位置の補正が行われる。このとき、一対の位置補正部材１６ａ，１６ｂがローラのように回転可能な構成であると、自ら回転しながら幅方向梁６を挟み込むため、無理な力が掛からず、トレー１の位置補正が容易に行われる。
【００２６】
この停止位置の補正が完了するとき、図６に示した可動型集電子装置は充電状態となっており、駆動軸１４はほぼ９０度だけ回転しており、床側集電子１７がトレー側集電子７に正しく対向して電気的に接触している。床側集電子１７は図示しない電源に接続されているため、床側集電子１７、トレー側集電子７、上述した接続ケーブル、バッテリー端子などが電気的に接続された状態となって充電が開始される。こうして、トレー１上に搭載した電気自動車の駐車状態を利用して、バッテリーの充電が行われる。
【００２７】
尚、上述した実施の形態で、一対の位置補正部材１６ａ，１６ｂは、幅方向梁６を挟み込んでトレー１の位置補正を行うようにした。このため、トレー１側の構成を変更することなく使用できる。しかし、可動型集電子装置を他の構成要素との干渉を避けて構成するとき、必ずしも位置補正部材１６ａ，１６ｂと幅方向梁６とが対応するとは限らないので、トレー１の下面側の他の被挟み込み部材を使用しても良い。
【００２８】
上述した機械式駐車装置は、駐車車両を搭載したトレー１を格納スペースに停止させて、トレー１側に設けたトレー側集電子７と格納スペースの床側に配置した床側集電子１７とを電気的に接触させ、駐車状態でバッテリー充電ができるように構成した機械式駐車装置において、格納スペースの床側に二位置を切り替え保持することが可能で床側集電子１７を有した可動型集電子装置を構成し、可動型集電子装置は、待機状態で一方の位置に切り替えて高さを抑えて保持し、また上部にトレー１を停止させた状態では他の位置に切り替えて高さを増してトレー側集電子１７に床側集電子７を電気的に接触させて保持することを特徴とする。
【００２９】
このような構成によれば、可動型集電子装置を待機状態では一方の位置に切り替えて高さを抑えて保持することができるので、この可動型集電子装置を有する格納スペースの上でトレー１を移動させても干渉することがない。従って、複数のトレー１を循環移動する循環路内に、駐車中にバッテリー充電のために使用する可動型集電子装置を有する格納スペースを形成しても、干渉したり電気的な接触部における不要なトラブルが発生せず、全体の格納スペースを効率的に使用することができる。
【００３０】
また本発明は、上述の構成に加えて、トレー１の下面側に、被挟み込み部材を設け、可動型集電子装置に、待機状態では高さを抑え、かつ上部にトレー１を停止させた状態で高さを増したとき被挟み込み部材を挟み込んでトレー１の位置補正を行う一対の位置補正部材１６ａ，１６ｂを設けたことを特徴とする。
【００３１】
このような構成によれば、二位置を切り替えて保持することができる可動型集電子装置の動きを積極的に活用し、この動きによってトレー１の下面側に備えられている被挟み込み部材を位置補正部材１６ａ，１６ｂによって挟み込みながら、許容範囲内で位置がずれたトレー１を所定位置に移動させて位置補正を行うことができる。このため、床側集電子１７とトレー側集電子７とを効果的かつ確実に接触させることができる。
【００３２】
また本発明は、上述の構成に加えて、トレー１はその下面側に梁６を有し、可動型集電子装置には、待機状態では高さを抑え、かつ上部にトレー１を停止させた状態で高さを増したとき梁６を挟み込んでトレー１の位置補正を行う一対の位置補正部材１６ａ，１６ｂを設けたことを特徴とする。
【００３３】
このような構成によれば、トレー１の下面側に元々備えられていた梁６を位置補正部材１６ａ，１６ｂを挟み込むことによって、許容範囲内で位置がずれたトレー１を所定位置に移動させて位置補正を行うことができ、構成を複雑にすることなく床側集電子１７とトレー側集電子７とを確実に接触させることができる。
【符号の説明】
【００３４】
１    トレー
６    幅方向梁
７    トレー側集電子
１３  駆動装置
１４  駆動軸
１６ａ，１６ｂ  位置補正部材
１７  床側集電子
【図１】
2015200090.tif 000003
【図２】
2015200090.tif 000004
【図３】
2015200090.tif 000005
【図４】
2015200090.tif 000006
【図５】
2015200090.tif 000007
【図６】
2015200090.tif 000008